【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
所定タイミング毎に入力されるデータを一時的に溜め込むバッファ部からのデータの読み出しを制御するバッファ制御部を備え、
上記バッファ制御部は、
上記バッファ部のデータ格納状態と、
上記バッファ部から読み出された上記データに対して上記所定タイミング毎の第１の処理を行う第１のデータ処理部から出力される第１の転送要求と、
上記バッファ部から読み出された上記データに対して第２の処理を行う第２のデータ処理部から出力される第２の転送要求と、
に基づき、上記バッファ部から連続性を損なわないように上記データを読み出し可能か否かを判断する
データ処理装置。
【請求項２】
連続性を損なわないように上記データを読み出し可能ではないとの判断が上記第１の転送要求に基づきなされる第１の状態と、該判断が上記第２の転送要求に基づきなされる第２の状態とに対して優先順位を設定し、
上記バッファ制御部により、上記バッファ部から連続性を損なわないように上記データを読み出し可能ではないことが判断されたら、上記第１または上記第２の転送要求のうち上記優先順位をより低く設定された側の処理を所定期間、停止する
請求項１記載のデータ処理装置。
【請求項３】
上記所定期間は、上記所定タイミングに基づく
請求項２記載のデータ処理装置。
【請求項４】
上記第１のデータおよび上記第２のデータを一時的に格納する外部メモリをさらに有し、
上記優先順位は、上記第１のデータおよび上記第２のデータの上記外部メモリに対する書き込みの優先順位に基づく
請求項２記載のデータ処理装置。
【請求項５】
上記バッファ制御部により、上記バッファ部から連続性を損なわないように上記データを読み出し可能ではないことが、上記第１または上記第２の転送要求に基づき判断されたら、上記第１または上記第２の転送要求のうち該判断の要因となった側に対応する処理を所定期間、停止する
請求項１記載のデータ処理装置。
【請求項６】
上記所定期間は、上記所定タイミングに基づく
請求項５記載のデータ処理装置。
【請求項７】
上記第１および第２の転送要求は、
上記第１のデータおよび上記第２のデータを格納する外部メモリと、上記第１のデータ処理部および上記第２のデータ処理部とを接続するバスの状態に基づく
請求項１記載のデータ処理装置。
【請求項８】
上記第１のデータは、上記外部メモリに対して連続性を損なわないように書き込まれる請求項７記載のデータ処理装置。
【請求項９】
上記外部メモリおよび上記バスは、上記第１のデータの転送処理および上記第２のデータの転送処理で共有される
請求項７記載のデータ処理装置。
【請求項１０】
上記外部メモリおよび上記バスは、上記第１のデータおよび上記第２のデータに対してそれぞれ設けられる
請求項７記載のデータ処理装置。
【請求項１１】
上記第１の信号処理部は、上記外部メモリから読み出された上記静止画データが上記バスを介してさらに供給される
請求項７記載のデータ処理装置。
【請求項１２】
上記バッファ制御部は、上記第１のデータ処理部による上記第１のデータの処理と上記第２のデータ号処理部による上記第２のデータの処理とが並列的に行われる場合、上記バッファ部がフル状態であり、且つ、上記第１の転送要求または上記第２の転送要求のうち少なくとも一方が成立していないときに、上記バッファ部から連続性を損なわないように上記データを読み出し可能ではないと判断する
請求項１記載のデータ処理装置。
【請求項１３】
所定タイミング毎に入力されるデータを一時的に溜め込むバッファ部からのデータの読み出しを制御するバッファ制御のステップを有し、
上記バッファ制御のステップは、
上記バッファ部のデータ格納状態と、
上記バッファ部から読み出された上記データに対して上記所定タイミング毎の第１の処理を行う第１のデータ処理部から出力される第１の転送要求と、
上記バッファ部から読み出された上記データに対して第２の処理を行う第２のデータ処理部から出力される第２の転送要求と、
に基づき、上記バッファ部から連続性を損なわないように上記データを読み出し可能か否かを判断する
データ処理方法。
【請求項１４】
所定タイミング毎に入力されるデータを一時的に溜め込むバッファ部からのデータの読み出しを制御するバッファ制御のステップを有し、
上記バッファ制御のステップは、
上記バッファ部のデータ格納状態と、
上記バッファ部から読み出された上記データに対して上記所定タイミング毎の第１の処理を行う第１のデータ処理部から出力される第１の転送要求と、
上記バッファ部から読み出された上記データに対して第２の処理を行う第２のデータ処理部から出力される第２の転送要求と、
に基づき、上記バッファ部から連続性を損なわないように上記データを読み出し可能か否かを判断するデータ処理方法をコンピュータ装置に実行させる
データ処理プログラム。
【請求項１５】
撮像素子から出力された撮像信号に基づく動画データに対する処理を行うと共に、該撮像信号に基づく静止画データに対する処理を該動画データの処理と並列的に行えるようにした撮像装置において、
光を光電変換で電気信号に変換し撮像信号として出力する撮像部と、
上記撮像部から出力された上記撮像信号を一時的に溜め込むバッファ部からの読み出しを制御するバッファ制御部と、
第１の転送要求を出力し、該第１の転送要求に応じて上記バッファ部から読み出された上記撮像信号に対してフレームタイミング毎の処理を行い動画データの出力が可能な第１の信号処理部と、
第２の転送要求を出力し、該第２の転送要求に応じて上記バッファ部から読み出された上記撮像信号に対して所定のタイミングで処理を行い静止画データを出力する第２の信号処理部とを有し、
上記バッファ制御部は、上記バッファ部のデータ格納状態と、上記第１の転送要求と、上記第２の転送要求とに基づき、上記バッファ部から連続性を損なわないように上記撮像信号を読み出し可能か否かを判断する
撮像装置。
【請求項１６】
撮像素子から出力された撮像信号に基づく動画データに対する処理を行うと共に、該撮像信号に基づく静止画データに対する処理を該動画データの処理と並列的に行えるようにした撮像装置の制御方法において、
光を光電変換で電気信号に変換して撮像部から出力された撮像信号を一時的にバッファ部に溜め込むステップと、
上記バッファ部からの読み出しを制御するバッファ制御のステップと、
第１の転送要求を出力し、該第１の転送要求に応じて上記バッファ部から読み出された上記撮像信号に対してフレームタイミング毎の処理を行い動画データの出力が可能な第１の信号処理のステップと、
第２の転送要求を出力し、該第２の転送要求に応じて上記バッファ部から読み出された上記撮像信号に対して所定のタイミングで処理を行い静止画データを出力する第２の信号処理のステップと
を有し、
上記バッファ制御のステップは、上記バッファ部のデータ格納状態と、上記第１の転送要求と、上記第２の転送要求とに基づき、上記バッファ部から連続性を損なわないように上記撮像信号を読み出し可能か否かを判断する
撮像装置の制御方法。
【請求項１７】
撮像素子から出力された撮像信号に基づく動画データに対する処理を行うと共に、該撮像信号に基づく静止画データに対する処理を該動画データの処理と並列的に行えるようにした撮像装置の制御方法をコンピュータに実行させる撮像装置の制御プログラムにおいて、
上記撮像装置の制御方法は、
光を光電変換で電気信号に変換して撮像部から出力された撮像信号を一時的にバッファ部に溜め込むステップと、
上記バッファ部からの読み出しを制御するバッファ制御のステップと、
第１の転送要求を出力し、該第１の転送要求に応じて上記バッファ部から読み出された上記撮像信号に対してフレームタイミング毎の処理を行い動画データの出力が可能な第１の信号処理のステップと、
第２の転送要求を出力し、該第２の転送要求に応じて上記バッファ部から読み出された上記撮像信号に対して所定のタイミングで処理を行い静止画データを出力する第２の信号処理のステップと
を有し、
上記バッファ制御のステップは、上記バッファ部のデータ格納状態と、上記第１の転送要求と、上記第２の転送要求とに基づき、上記バッファ部から連続性を損なわないように上記撮像信号を読み出し可能か否かを判断する
撮像装置の制御プログラム。
【手続補正２】
【補正対象書類名】明細書
【補正対象項目名】００１４
【補正方法】変更
【補正の内容】
【００１４】
上述した課題を解決するため、第１の発明は、所定タイミング毎に入力されるデータを一時的に溜め込むバッファ部からのデータの読み出しを制御するバッファ制御部を備え、バッファ制御部は、バッファ部のデータ格納状態と、バッファ部から読み出されたデータに対して所定タイミング毎の第１の処理を行う、第１のデータ処理部から出力される第１の転送要求と、バッファ部から読み出されたデータに対して第２の処理を行う、第２のデータ処理部から出力される第２の転送要求とに基づき、バッファ部から連続性を損なわないようにデータを読み出し可能か否かを判断するデータ処理装置である。
【手続補正３】
【補正対象書類名】明細書
【補正対象項目名】００１５
【補正方法】変更
【補正の内容】
【００１５】
また、第２の発明は、所定タイミング毎に入力されるデータを一時的に溜め込むバッファ部からのデータの読み出しを制御するバッファ制御のステップを有し、バッファ制御のステップは、バッファ部のデータ格納状態と、バッファ部から読み出されたデータに対して所定タイミング毎の第１の処理を行う第１のデータ処理部から出力される第１の転送要求と、バッファ部から読み出されたデータに対して第２の処理を行う第２のデータ処理部から出力される第２の転送要求とに基づき、バッファ部から連続性を損なわないようにデータを読み出し可能か否かを判断するデータ処理方法である。
【手続補正４】
【補正対象書類名】明細書
【補正対象項目名】００１６
【補正方法】変更
【補正の内容】
【００１６】
また、第３の発明は、所定タイミング毎に入力されるデータを一時的に溜め込むバッファ部からのデータの読み出しを制御するバッファ制御のステップを有し、バッファ制御のステップは、バッファ部のデータ格納状態と、バッファ部から読み出されたデータに対して所定タイミング毎の第１の処理を行う第１のデータ処理部から出力される第１の転送要求と、バッファ部から読み出されたデータに対して第２の処理を行う第２のデータ処理部から出力される第２の転送要求とに基づき、バッファ部から連続性を損なわないようにデータを読み出し可能か否かを判断するデータ処理方法をコンピュータ装置に実行させるデータ処理プログラムである。
【手続補正５】
【補正対象書類名】明細書
【補正対象項目名】００１７
【補正方法】変更
【補正の内容】
【００１７】
また、第４の発明は、撮像素子から出力された撮像信号に基づく動画データに対する処理を行うと共に、撮像信号に基づく静止画データに対する処理を動画データの処理と並列的に行えるようにした撮像装置において、光を光電変換で電気信号に変換し撮像信号として出力する撮像部と、撮像部から出力された撮像信号を一時的に溜め込むバッファ部からの読み出しを制御するバッファ制御部と、第１の転送要求を出力し、第１の転送要求に応じてバッファ部から読み出された撮像信号に対してフレームタイミング毎の処理を行い動画データの出力が可能な第１の信号処理部と、第２の転送要求を出力し、第２の転送要求に応じてバッファ部から読み出された撮像信号に対して所定のタイミングで処理を行い静止画データを出力する第２の信号処理部とを有し、バッファ制御部は、バッファ部のデータ格納状態と、第１の転送要求と、第２の転送要求とに基づき、バッファ部から連続性を損なわないように撮像信号を読み出し可能か否かを判断する撮像装置である。
【手続補正６】
【補正対象書類名】明細書
【補正対象項目名】００１８
【補正方法】変更
【補正の内容】
【００１８】
また、第５の発明は、撮像素子から出力された撮像信号に基づく動画データに対する処理を行うと共に、撮像信号に基づく静止画データに対する処理を動画データの処理と並列的に行えるようにした撮像装置の制御方法において、光を光電変換で電気信号に変換して撮像部から出力された撮像信号を一時的にバッファ部に溜め込むステップと、バッファ部からの読み出しを制御するバッファ制御のステップと、第１の転送要求を出力し、第１の転送要求に応じてバッファ部から読み出された撮像信号に対してフレームタイミング毎の処理を行い動画データの出力が可能な第１の信号処理のステップと、第２の転送要求を出力し、第２の転送要求に応じてバッファ部から読み出された撮像信号に対して所定のタイミングで処理を行い静止画データを出力する第２の信号処理のステップとを有し、バッファ制御のステップは、バッファ部のデータ格納状態と、第１の転送要求と、第２の転送要求とに基づき、バッファ部から連続性を損なわないように撮像信号を読み出し可能か否かを判断する撮像装置の制御方法である。
【手続補正７】
【補正対象書類名】明細書
【補正対象項目名】００１９
【補正方法】変更
【補正の内容】
【００１９】
また、第６の発明は、撮像素子から出力された撮像信号に基づく動画データに対する処理を行うと共に、該撮像信号に基づく静止画データに対する処理を該動画データの処理と並列的に行えるようにした撮像装置の制御方法をコンピュータに実行させる撮像装置の制御プログラムにおいて、撮像装置の制御方法は、光を光電変換で電気信号に変換して撮像部から出力された撮像信号を一時的にバッファ部に溜め込むステップと、バッファ部からの読み出しを制御するバッファ制御のステップと、第１の転送要求を出力し、該第１の転送要求に応じてバッファ部から読み出された撮像信号に対してフレームタイミング毎の処理を行い動画データの出力が可能な第１の信号処理のステップと、第２の転送要求を出力し、該第２の転送要求に応じてバッファ部から読み出された撮像信号に対して所定のタイミングで処理を行い静止画データを出力する第２の信号処理のステップとを有し、バッファ制御のステップは、バッファ部のデータ格納状態と、第１の転送要求と、第２の転送要求とに基づき、バッファ部から連続性を損なわないように撮像信号を読み出し可能か否かを判断する撮像装置の制御プログラムである。
【手続補正８】
【補正対象書類名】明細書
【補正対象項目名】００２０
【補正方法】変更
【補正の内容】
【００２０】
上述したように、第１、第２および第３の発明は、第１のデータ処理は、第１の転送要求を出力し、第１の転送要求に応じて、所定タイミング毎に入力されるデータを一時的に溜め込むバッファ部から読み出されたデータに対して所定タイミング毎の第１の処理を行い第１のデータの出力が可能とされ、第２のデータ処理は、第２の転送要求を出力し、第２の転送要求に応じてバッファ部から読み出されたデータに対して第２の処理を行い第２のデータを出力するようにされ、バッファ部のデータ格納状態と、第１の転送要求と、第２の転送要求とに基づき、バッファ部から連続性を損なわないようにデータを読み出し可能か否かを判断するようにしているため、例えば第１のデータ処理により出力される第１のデータと、第２のデータ処理により出力される第２のデータとが一時的に格納される外部メモリに対するアクセスに破綻が生じるような場合に、第１のデータを優先的に出力させるように制御できる。
【手続補正９】
【補正対象書類名】明細書
【補正対象項目名】００２１
【補正方法】変更
【補正の内容】
【００２１】
また、第４、第５および第６の発明は、撮像素子から出力された撮像信号に基づく動画データに対する処理を行うと共に、撮像信号に基づく静止画データに対する処理を動画データの処理と並列的に行えるようにするに当たり、光を光電変換で電気信号に変換して撮像部から出力された撮像信号を一時的にバッファ部に溜め込み、第１の信号処理は、第１の転送要求を出力し、第１の転送要求に応じてバッファ部から読み出された撮像信号に対してフレームタイミング毎の処理を行い動画データの出力が可能とされ、第２の信号処理は、第２の転送要求を出力し、第２の転送要求に応じてバッファ部から読み出された撮像信号に対して所定のタイミングで処理を行い静止画データを出力するようにされ、バッファ部のデータ格納状態と、第１の転送要求と、第２の転送要求とに基づき、バッファ部から連続性を損なわないように撮像信号を読み出し可能か否かを判断するようにしているため、例えば第１の信号処理により出力される動画データと、第２の信号処理により出力される静止画データとが一時的に格納される外部メモリに対するアクセスに破綻が生じるような場合に、動画データを優先的に出力させるように制御できる。
【手続補正１０】
【補正対象書類名】明細書
【補正対象項目名】００２２
【補正方法】変更
【補正の内容】
【００２２】
第１、第２および第３の発明は、第１のデータ処理は、第１の転送要求を出力し、第１の転送要求に応じて、所定タイミング毎に入力されるデータを一時的に溜め込むバッファ部から読み出されたデータに対して所定タイミング毎の第１の処理を行い第１のデータの出力が可能とされ、第２のデータ処理は、第２の転送要求を出力し、第２の転送要求に応じてバッファ部から読み出されたデータに対して第２の処理を行い第２のデータを出力するようにされ、バッファ部のデータ格納状態と、第１の転送要求と、第２の転送要求とに基づき、バッファ部から連続性を損なわないようにデータを読み出し可能か否かを判断するようにしているため、例えば第１のデータ処理により出力される第１のデータと、第２のデータ処理により出力される第２のデータとが一時的に格納される外部メモリに対するアクセスに破綻が生じるような場合に、第１のデータを優先的に出力させるように制御できる効果がある。
【手続補正１１】
【補正対象書類名】明細書
【補正対象項目名】００２３
【補正方法】変更
【補正の内容】
【００２３】
また、第４、第５および第６の発明は、撮像素子から出力された撮像信号に基づく動画データに対する処理を行うと共に、撮像信号に基づく静止画データに対する処理を動画データの処理と並列的に行えるようにするに当たり、光を光電変換で電気信号に変換して撮像部から出力された撮像信号を一時的にバッファ部に溜め込み、第１の信号処理は、第１の転送要求を出力し、第１の転送要求に応じてバッファ部から読み出された撮像信号に対してフレームタイミング毎の処理を行い動画データの出力が可能とされ、第２の信号処理は、第２の転送要求を出力し、第２の転送要求に応じてバッファ部から読み出された撮像信号に対して所定のタイミングで処理を行い静止画データを出力するようにされ、バッファ部のデータ格納状態と、第１の転送要求と、第２の転送要求とに基づき、バッファ部から連続性を損なわないように撮像信号を読み出し可能か否かを判断するようにしているため、例えば第１の信号処理により出力される動画データと、第２の信号処理により出力される静止画データとが一時的に格納される外部メモリに対するアクセスに破綻が生じるような場合に、動画データを優先的に出力させるように制御できる効果がある。